(57)【要約】【課題】農産物を冷蔵する農産物保冷庫の天井面に設置される農産物保冷庫用冷蔵ユニットにおいて、結露水の発生を抑え、冷却性能を向上させる。【解決手段】冷却器４と断熱部と樹脂製ベース１とを備え、冷却器４は、冷却用冷媒を循環させるために接続配管５を持ち、樹脂製ベース１は、結露水を溜めて蒸発させることのできる蒸発皿８と、冷却器４の下側で結露水を受ける露受皿６と、蒸発皿８と露受皿６とを継ぎ目無く一体化する水路７を持ち、断熱部は、水路の取り出し口９と接続配管の取り出し口１０が、距離を置いて設置されている。これにより、断熱しやすく冷却側と外部と空気が通気する隙間をなくすことが可能になる。また、水路側は水路上部の空間は残るが、配管を通すほどの大きな空間ではなくなるので、外部との通気が少なくなり、結露水をコントロールしやすい量に低減することができる。【選択図】図１
2015055418.tif 000002
【特許請求の範囲】
【請求項１】
天井面に設置した冷蔵ユニットで農産物を冷蔵する農産物保冷庫にあって、
冷却器と断熱部と樹脂製のベースとを備え、
前記冷却器は、冷却用冷媒を循環させるために接続配管を有し、
前記ベースは、結露水を溜めて蒸発させることのできる蒸発皿と、前記冷却器の下側で前記結露水を受ける露受皿と、前記蒸発皿と前記露受皿とを継ぎ目無く一体化する水路と、を有し、
前記断熱部は、前記水路の取り出し口と前記接続配管の取り出し口が、距離を置いて設置される農産物保冷庫用冷蔵ユニット。
【請求項２】
前記接続配管は、前記冷却器から前記断熱部までの間で、前記断熱部での高さより低い位置から前記断熱部へ到達するように、配管を曲げ傾斜させた請求項１記載の農産物保冷庫用冷蔵ユニット。
【請求項３】
前記断熱部は、前記水路の取り出し口の上部に、逆山型凸部を備えた請求項１記載の農産物保冷庫用冷蔵ユニット。
【発明の詳細な説明】
【技術分野】
【０００１】
本発明は、農産物を冷蔵する農産物保冷庫の天井面に設置される農産物保冷庫用冷蔵ユニットに関するものである。
【背景技術】
【０００２】
従来、この種の農産物保冷庫用冷蔵ユニットは、外郭構造の部分は板金で構成しているが、軽量化や部品点数の削減による合理化を目的として、特に外郭下部のベース部分に樹脂を用いて形成したものがある（例えば、特許文献１参照）。
【０００３】
以下、図面を参照しながら特許文献１に記載された従来の農産物保冷庫用冷蔵ユニットを説明する。図４は、特許文献１に記載された従来の農産物保冷庫用冷蔵ユニットを示すものである。
【０００４】
図４に示すように、従来の冷蔵ユニットは、外郭下部となる樹脂製ベース２５と、冷却器２２と、冷却器２２を上方から囲う上側断熱箱（図示せず）と、外郭上部となるパネル３７から構成されている。
【０００５】
農作物保冷庫は、図５に示すように、前面に扉を有した断熱性の高い保冷庫本体４１の上部に冷蔵ユニット４２を備え、冷却風を図６に示す保冷庫本体４１の天面３８の開口４３から庫内に流し込むよう構成している。
【０００６】
冷蔵ユニットの内部構造は、図４に示すように、底面は樹脂で整形された樹脂製ベース２５で、冷却側には保冷庫内の空気を吸い込み、冷却後、吐き出すため、箱状に形成される断熱部２１の内側に、孔が図６の天面３８の開口４３に相対して設けられている。
【０００７】
また、冷却側の冷却風は、図４のＢ−Ｂ断面図で示す、図７の矢印のように流れ、冷却器２２の周囲を発泡材などで形成した下側断熱部４６と上側断熱箱４７にて囲っている。
【０００８】
下側断熱部４６の中央部は冷却器２２を設置し冷却器２２から発生する結露水を受ける露受皿２３が樹脂製ベース側に結露水を流す水路で繋ぐように樹脂製ベース２５と一体化されている。
【０００９】
結露水は露受皿２３から自然に水路を伝わり排熱側へ流す構造となっている。排熱側には露受皿２３から流れてきた結露水を受けためておくための蒸発部２４が設けられており、コンプレッサー２８や凝縮器（図示せず）の熱と排熱循環風とで蒸発させて外部に放出する。
【００１０】
また、冷却器２２には、圧縮機や放熱器と繋ぐための接続配管２９をもつ（放熱器側の配管は図示せず）が、接続配管２９は冷却器から出た後、結露水の流れる水路の上を通るように引き回される。
【００１１】
このように冷蔵ユニットの構成部品は、一体化された樹脂製ベース２５上に設置されている。
【先行技術文献】
【特許文献】
【００１２】
【特許文献１】特開２００４−２５１６０８号公報
【発明の概要】
【発明が解決しようとする課題】
【００１３】
しかしながら、前記従来の構成では、接続配管自体が冷却器２２により冷却されるため、接続配管には、外部からの空気により結露水が多数発生する。
【００１４】
また、接続配管を断熱材などで断熱しても結露水を流す水路が下にあり、水路は水で満たされること無く水路上部の空間で外部と内部で空気が通気するので、水路周りも結露水が発生し、配管の断熱材表面や断熱部の配管取り出し口の側面や上面にも結露水がついてしまい、多数発生した結露水は、断熱部の勘合部などから漏れ出す可能性もあり、結露に対して品質を保てないという課題を有していた。
【００１５】
本発明は、前記従来の課題を解決するもので、接続配管の周りや、水路の周りの結露水の発生を抑制し、冷却性能を向上した農産物保冷庫用冷蔵ユニットを提供することを目的とする。
【課題を解決するための手段】
【００１６】
前記従来の課題を解決するために、本発明の農産物保冷庫用冷蔵ユニットは、断熱部は、水路の取り出し口と接続配管の取り出し口が、距離を置いて設置されたものである。
【００１７】
これにより、接続配管は水路の取り出し口と距離を置いていることとなり、断熱しやすく冷却側と外部と空気が通気する隙間をなくすことが可能になる。また、水路側は水路上部の空間は残るが、配管を通すほどの大きな空間ではなくなるので、外部との通気が少なくなり、結露水をコントロールしやすい量に低減することができる。
【発明の効果】
【００１８】
本発明の農産物保冷庫用冷蔵ユニットは、冷却部分と外部との通気が少なくなり断熱性能が向上するため、冷却性能が向上され、省エネ性能が高くなる。さらに、断熱性能の向上により、より低い温度で冷却運転することができる。また、結露防止に特別な部材を追加していないので、樹脂製ベースによるコスト低減を享受でき、結露水の漏れに心配がなく、より信頼性を高めることができる。
【図面の簡単な説明】
【００１９】
【図１】本発明の実施の形態１における農産物保冷庫用冷蔵ユニットの要部斜視図
【図２】同実施の形態の農産物保冷庫用冷蔵ユニットの断熱部断面側面図
【図３】同実施の形態の農産物保冷庫用冷蔵ユニットの水路断面図
【図４】従来の農産物保冷庫用冷蔵ユニットの分解斜視図
【図５】従来の農産物保冷庫の扉を開いた状態の外観斜視図
【図６】従来の農産物保冷庫の扉を閉じた状態の外観斜視図
【図７】図４のＢ−Ｂ断面図
【発明を実施するための形態】
【００２０】
第１の発明は、天井面に設置した冷蔵ユニットで農産物を冷蔵する農産物保冷庫にあって、冷却器と断熱部と樹脂製のベースとを備え、前記冷却器は、冷却用冷媒を循環させるために接続配管を有し、前記ベースは、結露水を溜めて蒸発させることのできる蒸発皿と、前記冷却器の下側で前記結露水を受ける露受皿と、前記蒸発皿と前記露受皿とを継ぎ目無く一体化する水路と、を有し、前記断熱部は、前記水路の取り出し口と前記接続配管の取り出し口が、距離を置いて設置されるものである。
【００２１】
これにより、接続配管は、水路の取り出し口と距離を置いているので、断熱しやすく、
冷却側と外部と空気が通気する隙間をなくすことが可能となり、水路側は水路上部の空間は残るが、配管を通すほどの大きな空間ではなくなるので、外部との通気が少なくなり、結露水をコントロールしやすい量に低減することとなり、冷却部分と外部との通気が少なく断熱性能が向上するため、冷却性能が向上され、省エネ性能が高くなる。さらに、断熱性能の向上により、より低い温度で冷却運転することもできる。また、結露防止に特別な部材を追加していないので、樹脂製ベースによるコスト低減を享受でき、結露水の漏れに心配がなく、より信頼性を高めることができる。
【００２２】
第２の発明は、特に第１の発明において、前記接続配管は、前記冷却器から前記断熱部までの間で、前記断熱部での高さより低い位置から前記断熱部へ到達するように、配管を曲げ傾斜させたものである。
【００２３】
これにより、冷却器周辺と配管の温度差により発生する結露水は、接続配管の冷却器から断熱部までの区間で発生するが、断熱部の高い位置から傾斜を伝って冷却器側に結露水が流れることとなり、結露水が断熱材を伝わって流れ出すことや、断熱材に吸収されるなどの心配が無くなり、結露水は接続配管の最下点に伝わるので結露水を集めることが容易になる。
【００２４】
第３の発明は、特に第１の発明において、前記断熱部は、前記水路の取り出し口の上部に、逆山形凸部を備えたものである。
【００２５】
これにより、水路の上部で冷却側と外部で通気するときに、水路の取り出し口の上部に結露水が発生してしまうが、上部が逆山形凸部のため、発生した結露水は逆山形凸部である山頂部に集まり、結露水は、水路の中央に滴下することとなり、結露水の漏れなどの心配がなくなる。
【００２６】
以下、本発明の農産物保冷庫用冷蔵ユニットの実施の形態について、図面を参照しながら説明する。なお、この実施の形態によって本発明が限定されるものではない。
【００２７】
（実施の形態１）
図１は、本発明の実施の形態１における農産物保冷庫用冷蔵ユニットの要部斜視図を示すものである。図１は、部品の構成がわかるように、外装パネルと断熱部の上側を一部省略し、手前側の部品となる圧縮機や放熱器、電装盤も省略する。
【００２８】
図１に示すように、本実施の形態における農産物保冷庫用冷蔵ユニットは、下部に位置し、冷蔵ユニットの構成部品を設置する樹脂製ベース１と、発泡断熱材からなり、冷却器４の下側を断熱し、下部が保冷庫天井面と密着でき、周囲が樹脂製ベース１で囲われている下側断熱部２と、発泡断熱材からなる。さらに、下側断熱部２の上に下側断熱部２と嵌合して配置され、下側断熱部２とともに冷却器４を断熱する上側断熱部３と、冷却器４に圧縮機や放熱器と冷却回路を結ぶための接続配管５と、樹脂製ベース１に一体成型され、冷却器４の下にあり、結露水を受ける露受皿６と、蒸発皿８と露受皿６とを継ぎ目無く一体化し、結露水を外部に流しだす水路７と、結露水を蒸発させる蒸発皿８と、を備えている。
【００２９】
ここで、下側断熱部２と上側断熱部３の勘合部に、水路７と接続配管５を冷却器の両側から双方別々な位置として、水路の取り出し口９と接続配管の取り出し口１０とを設けている。
【００３０】
なお、取り出し口の位置は、水路７と接続配管５の位置が同じ位置でなければ、必ずしも、本図の位置でなくともかまわない。なお、接続配管５は、冷媒流入側のキャピラリチ
ューブが細く比較的柔軟であるので、冷媒排出側の配管と平行に近接しているものとして、排出配管一本で図示および説明する。
【００３１】
ここで、断熱部は、水路の取り出し口と接続配管の取り出し口が、距離を置いて設置されるとは、本実施の形態では、例えば、冷却器の幅方向の長さと略同一の寸法（長さ）を意味するものである。
【００３２】
以上のように構成された本実施の形態の農産物保冷庫用冷蔵ユニットについて、その動作、作用を説明する。
【００３３】
まず、冷却器４が冷却する際に結露水が発生し、結露水は露受皿６に滴下し、水路７をつたって蒸発皿８に集まるが、結露水は氷点に近い温度であり、霜などの塊で凍りつく可能性があるので、水路７はある程度の幅が必要である。しかしながら、結露水の量は比較的少ないので、水路７の上方は空間となり、外部と通気してしまうのであまり大きくすることはできないが、結露水専用の水路７のため配管を通す必要はなく、水路の取り出し口９は、比較的小さく設定できる。
【００３４】
また、接続配管５は、冷却時には冷却器４を通る冷媒により冷却側の空気よりさらに低温になるので接続配管５にも結露水が発生するが、接続配管の取り出し口１０内の接続配管５に発砲フォームなどの断熱材を巻くなどすることで、接続配管５を容易に完全に断熱することができる。
【００３５】
以上のように、本実施の形態においては、接続配管５は水路７と距離を置いているので、断熱しやすく、冷却側と外部と空気が通気する隙間を最小にすることとなり、水路側は水路上部の空間は残るが、配管を通すほどの大きな空間ではなくなるので、結露水の発生箇所は少なくなり結露水の量は低減され、通気する空間が狭いので、冷却部分と外部との通気が少なく断熱性能が向上するため、冷却性能が向上され、省エネ性能が高くなる。さらに、断熱性能の向上により、より低い温度で冷却運転することができる。また、結露防止に特別な部材を追加していないので、樹脂製ベースによるコスト低減を享受でき、結露水の漏れに心配がなく、より信頼性を高めることができる。
【００３６】
（実施の形態２）
図２は、本発明の実施の形態２における農産物保冷庫用冷蔵ユニットの断熱部断面側面図を示すものである。
【００３７】
図２に示すように、本実施の形態における農産物保冷庫用冷蔵ユニットにおいて、接続配管５は、冷却器４に接続される箇所と冷却器４から上側断熱部３の内壁に到達する区間において、上側断熱部３に到達するする箇所が高くなるよう、冷却器４までの区間に傾斜を持たせたものである。
【００３８】
ここで、本実施の形態では、断熱部の接続配管の取り出し口１０は、接続配管５より若干大きめにし、接続配管５に発砲フォームなどの配管断熱材１１を巻くなどしており、接続配管５の周囲は完全に遮断され、外部と内部が通気しない。
【００３９】
以上のように構成された本実施の形態の農産物保冷庫用冷蔵ユニットについて、その動作、作用を説明する。
【００４０】
まず、接続配管５は、冷却時には冷却器４を通る冷媒により冷却器側の空気よりさらに低温になり、冷却側の接続配管５にも結露水が発生する。ここで、接続配管の取り出し口１０やその外側には断熱材のため結露することは無い。また、冷却器４に接続される箇所
と冷却器４から上側断熱部３に到達する区間においては、冷却時に接続配管５に発生する結露水を接続配管５の傾斜により下につたえ、結露水は最下点で集まることとなり、最下点で結露水を確実に落としとることができる。また、傾斜により結露水は上側断熱部３や下側断熱部２側には伝わらない。
【００４１】
以上のように、本実施の形態においては、接続配管５を断熱することができ、結露水を誘導することができる。接続配管５における配管断熱材１１は、上側断熱部３の内側から外側でよいので、冷却器側の接続配管５の配管断熱材は必要が無くなり、コストを低減できる。
【００４２】
また、本実施の形態の接続配管５の配管断熱材をなくし、上側断熱部３と下側断熱部２の勘合部で、直接、接続配管５を断熱することにより、配管用の断熱材をなくすことができ、コストを低減できる。
【００４３】
（実施の形態３）
図３は、本発明の実施の形態３における農産物保冷庫用冷蔵ユニットの水路の断面図を示すものである。
【００４４】
図３に示すように、本実施の形態における農産物保冷庫用冷蔵ユニットは、水路７は下側断熱部２の溝と樹脂で成型される水路７とは密着し、上側断熱部３はその上から密着するように勘合する。ここで、上側断熱部３の水路７の上面になる部分には、逆山型凸部１２が成型されている。
【００４５】
以上のように構成された本実施の形態の農産物保冷庫用冷蔵ユニットについて、その動作、作用を説明する。
【００４６】
まず、冷却時は水路７に結露水が流れ、水路７は冷却される。また、水路７の上方は空間になっているので、外部と冷却部で通気が起こり、水路７の上側の空間部には結露が発生する。側面は樹脂ベースと一体成型された水路７なので、結露は問題ないが、上部については、結露水が断熱材を伝わって水が漏れる危険性がある。しかしながら、逆山型凸部１２を持つことにより、結露水は山の頂上に集まり、水路７の中央に滴下することとなり、結露水の漏れなどの心配がなくなる。
【００４７】
以上のように、本実施の形態においては、水路７に発生した結露水を外部に漏らすことなく回収できる。
【産業上の利用可能性】
【００４８】
本発明にかかる農産物保冷庫用冷蔵ユニットは、結露の発生を気にすることなく冷却性能を上げることが可能となるので、農産物の保冷用に限らず、業務用冷蔵庫など、保冷庫本体の天面に冷蔵ユニットを設ける構造の冷蔵ユニットに適用できる。
【符号の説明】
【００４９】
１  樹脂製ベース
２  下側断熱部
３  上側断熱部
４  冷却器
５  接続配管
６  露受皿
７  水路
８  蒸発皿
９  水路の取り出し口
１０  接続配管の取り出し口
１１  配管断熱材
１２  逆山型凸部
【図１】
2015055418.tif 000003
【図２】
2015055418.tif 000004
【図３】
2015055418.tif 000005
【図４】
2015055418.tif 000006
【図５】
2015055418.tif 000007
【図６】
2015055418.tif 000008
【図７】
2015055418.tif 000009